(57)【特許請求の範囲】
【請求項１】
対物レンズを駆動するアクチュエータが発光素子及び受光素子が組み込まれるハウジングに設置される構成の光学ヘッド装置において、前記ハウジングに対物レンズが装着されるレンズホルダーを連結部を介して一体的に形成し、駆動コイルが巻回されると共に、前記レンズホルダーと別体にこのレンズホルダーに合体されるコイルホルダーを設け、前記レンズホルダーに前記コイルホルダーを合体させてアクチュエータ可動部が組み立てられ、そのアクチュエータ可動部を前記ハウジングに対して弾性的に支持する弾性支持部材をハウジングに一体的に形成されるサポート部材と前記レンズホルダーに一体的に形成される取付部とにそれぞれ固着して架設し、前記弾性支持部材によって前記アクチュエータ可動部を前記ハウジングに支持した状態で前記連結部を切断して前記レンズホルダーをハウジングから切り離す構成の光学ヘッド装置。
【請求項２】
前記弾性支持部材はサスペンションワイヤーであり、前記サポート部材及び前記取付部にサスペンションワイヤーを支持するＶ字状の支持面が形成されていると共に、サスペンションワイヤーの軸方向の一端側を位置決めする柱状突起がハウジングに一体的に形成され、前記柱状突起はサスペンションワイヤーの架設後に折り欠かれてハウジングから除去されることを特徴とする請求項１記載の光学ヘッド装置。
【発明の詳細な説明】
【０００１】
【発明の属する技術分野】
本発明は、ハウジングにアクチュエータを設置する構成の光学ヘッド装置に関し、特に、組立時におけるアクチュエータ可動部の位置精度を高めた光学ヘッド装置に関する。
【０００２】
【従来の技術】
ディスクに対して光学的に信号の読み取り、あるいは書き込みを行う光学ヘッド装置は、通常、発光素子である半導体レーザー及び受光素子である光検出器が組み込まれるハウジングに、対物レンズを駆動させるアクチュエータを設置して構成される。前記ハウジングは、半導体レーザーから出射されるレーザービームを対物レンズに導く光学経路及びディスクにより反射されて対物レンズに戻されるレーザービームを光検出器に導く光学経路が形成されている。
【０００３】
このような光学ヘッド装置においては、ディスク上の光スポットのコマ収差の発生が抑制されるようにディスクに照射されるレーザービームの光軸を調整する為にアクチュエータをディスクのタンジェンシャル方向及びラジアル方向にスキュー調整してハウジングに設置する必要があった。
【０００４】
このような光学ヘッド装置においては、例えば、特開２０００−４８３７４号公報に示される如く、ハウジングに対してアクチュエータがディスクのタンジェンシャル方向及びラジアル方向にスキュー調整可能に取り付けられるようにし、前記スキュー調整が行えるようになっている。
【０００５】
【発明が解決しようとする課題】
しかしながら、前述するスキュー調整は、専用の組立治具を用いた製造工程や煩雑な検査工程を必要とし、光学ヘッド装置生産の作業性及びコスト削減の障害となっている。
【０００６】
また、スキュー調整可能な光学ヘッド装置は、その構成上、部品点数削減の障害となると共に、温度や湿度等の環境変化でスキュー調整がズレ易いという問題があった。
【０００７】
また、アクチュエータ可動部側及びハウジング側における各サスペンションワイヤーの一端側及び他端側の支持位置にばらつきが生じ、各サスペンションワイヤーが架設される位置のアンバランスのために、トラッキングやフォーカシング時の対物レンズのシフト時に対物レンズの姿勢が変化し、光学性能の劣化を招く問題があった。
【０００８】
【課題を解決するための手段】
本発明は、ハウジングに対物レンズが装着されるレンズホルダーを連結部を介して一体的に形成し、駆動コイルが巻回されると共に、前記レンズホルダーと別体にこのレンズホルダーに合体されるコイルホルダーを設け、前記レンズホルダーに前記コイルホルダーを合体させてアクチュエータ可動部が組み立てられ、そのアクチュエータ可動部を前記ハウジングに対して弾性的に支持する弾性支持部材をハウジングに一体的に形成されるサポート部材と前記レンズホルダーに一体的に形成される取付部とに架設し、前記弾性支持部材によって前記アクチュエータ可動部を前記ハウジングに支持した状態で前記連結部を切断して前記レンズホルダーをハウジングから切り離す構成にしている。これによりハウジングに対するレンズホルダーの寸法精度の向上によりレンズホルダーをハウジングに対してスキュー調整を必要としない正しい位置に配置しておき、このレンズホルダーの位置が変位されない状態でレンズホルダーにコイルホルダーを合体させてアクチュエータ可動部を組み立てると共に、弾性支持部材をハウジングに一体的に形成されるサポート部材とレンズホルダーに一体的に形成される取付部とに架設し、この弾性支持部材が架設された状態で、レンズホルダーをハウジングから切り離すことによりアクチュエータ可動部がハウジングに対して正しい位置に設置されるようにしている。
【０００９】
【実施例】
図１は本発明の一実施例に係る光学ヘッド装置の主要部分の展開状態を示す展開斜視図、図２は図１の光学ヘッド装置におけるアクチュエータ可動部の組立途中状態を示す斜視図、図３は図１の光学ヘッド装置におけるアクチュエータ可動部の組立完了状態を示す斜視図である。
【００１０】
１は発光素子である半導体レーザー（図示せず）及び受光素子である光検出器（図示せず）が組み込まれる合成樹脂製のハウジングであり、該ハウジング１には半導体レーザーから出射されるレーザービームを対物レンズ２に導く光学経路及びディスクにより反射されて対物レンズ２に戻されるレーザービームを光検出器に導く光学経路が形成される。
【００１１】
３は対物レンズ２が装着されるレンズホルダーであり、該レンズホルダー３はレーザービームの光路となるハウジング１の空間４上に複数の連結部５を介してハウジング１に一体的に形成されている。
【００１２】
また、レンズホルダー３は両側面の下方からそれぞれＬ字アングル状の取付部３ａ，３ｂが左右対称に一体的に形成されている。
【００１３】
６はフォーカシングコイル７及びトラッキングコイル８の各駆動コイルが装着されるコイルホルダーであり、該コイルホルダー６はレンズホルダー３の周囲を覆うようにレンズホルダー３に接着剤により接着されて合体され、この場合、コイルホルダー６に形成される切り欠き９ａ，９ｂに取付部３ａ，３ｂが挿入されると共に、レンズホルダー３に形成される切り欠き１０ａ，１０ｂにコイルホルダー６の突部６ａ，６ｂが挿入されることによりコイルホルダー６はレンズホルダー３の所定位置に容易に設置される。
【００１４】
１１はハウジングに一体的に形成されるサポート部材１２と前記レンズホルダー３の取付部３ａ，３ｂとにそれぞれ架設されてレンズホルダー３及びコイルホルダー６により構成されるアクチュエータ可動部を弾性的に支持する４本のサスペンションワイヤーである。サポート部材１２には、各サスペンションワイヤー１１を制振させるダンプ剤が充填される空間部１３が形成されている。
【００１５】
１４，１５はフォーカシングコイル７及び各トラッキングコイル８の有効辺に対して有効磁界を形成するべくアクチュエータ可動部を挟んで同一磁極面が対向して配置される一対の永久磁石、１６，１７は各永久磁石１４，１５の外側の磁極面がそれぞれ付設されるヨークである。各永久磁石１４，１５及び各ヨーク１６，１７はハウジング１に一体成形される立設突起１８ａ，１８ｂ及び１８ｃ，１８ｄに付設されてハウジング１の所定位置に配置される。
【００１６】
次に、このような構成部品により成る光学ヘッド装置の組立方法を説明する。
【００１７】
まず、コイルホルダー６にフォーカシングコイル７及びトラッキングコイル８の各駆動コイルを自動機を用いて巻回し、そのコイルホルダー６をレンズホルダー３に接着して合体させ、間接的にレンズホルダー３にフォーカシングコイル７及びトラッキングコイル８の各駆動コイルを装着する。
【００１８】
コイルホルダー６をレンズホルダー３に合体させる場合、コイルホルダー６に形成される切り欠き９ａ，９ｂに取付部３ａ，３ｂが挿入されると共に、レンズホルダー３に形成される切り欠き１０ａ，１０ｂにコイルホルダー６の突部６ａ，６ｂがそれぞれ挿入されてコイルホルダー６の位置合わせが行われる。
【００１９】
次に、４本のサスペンションワイヤー１１をサポート部材１２とレンズホルダー３の取付部３ａ，３ｂとにそれぞれ架設する。
【００２０】
ここで、前記サスペンションワイヤー１１を架設する際にはアクチュエータ可動部のサスペンションワイヤー１１が固着される左右側面をそれぞれ上にして各側ごとに上下２本ずつのサスペンションワイヤー１１を取付部３ａ，３ｂの溝及びサポート部材１２の溝に上方から挿入し、その挿入の度に、サスペンションワイヤー１１を２本ずつ前記取付部３ａ，３ｂの溝及び前記サポート部材１２の溝の部分で接着剤を滴下して接着する。
【００２１】
ところで、アクチュエータ可動部の左右側面をそれぞれ上にした状態において、前記取付部３ａ，３ｂの溝及び前記サポート部材１２の溝における各サスペンションワイヤー１１を支持する支持面１９，２０は架設するサスペンションワイヤー１１の自重方向にＶ字状に形成されている。
【００２２】
その為、各サスペンションワイヤー１１は、一端側及び他端側がそれぞれ前記取付部３ａ，３ｂの溝における内壁のＶ字状の支持面１９及び前記サポート部材１２の溝における内壁のＶ字状の支持面２０により支持された状態で接着により固着される。
【００２３】
この場合、各サスペンションワイヤー１１は断面円形であり、取付部３ａ，３ｂの支持面１９及びサポート部材１２の支持面２０は架設するサスペンションワイヤー１１の自重方向に対してＶ字状になっているので、各サスペンションワイヤー１１は一端側及び他端側が支持面１９，２０のＶ字の２辺に当接した状態で応力を生じずに位置決めされ、各サスペンションワイヤー１１の架設位置が容易に高精度に設定される。
【００２４】
そして、前記取付部３ａ，３ｂは、レンズホルダー３に一体的に形成されており、レンズホルダー３にコイルホルダー６を合体させる際のコイルホルダー６のレンズホルダー３に対する位置ズレに無関係であるので、各サスペンションワイヤー１１は一端側の架設位置が前記コイルホルダー６のレンズホルダー３に対する設置位置に影響されずに高精度に設定される。
【００２５】
また、各サスペンションワイヤー１１は、軸方向において一端側がハウジング１に一体的に形成される柱状突起２１ａ，２１ｂによって位置決めされる。
【００２６】
このようにして各サスペンションワイヤー１１を架設した後、各サスペンションワイヤー１１の一端側の先端をレンズホルダー３の各駆動コイルの端末が絡げられる各突片２２にハンダ付けすると共に、各サスペンションワイヤー１１の他端側の先端をサポート部材１２にネジ止めされる配線基板２３にハンダ付けして各サスペンションワイヤー１１の架設により各駆動コイルの駆動信号供給路が形成される。
【００２７】
ここで、各サスペンションワイヤー１１はサポート部材１２の各空間部１３に配置されるので、各空間部１２に充填されるダンプ剤により制振される。
【００２８】
各サスペンションワイヤー１１が架設された後、各永久磁石１４，１５がそれぞれ固着される各ヨーク１６，１７をそれぞれ立設突起１８ａ，１８ｂ及び１８ｃ，１８ｄに位置決めされるべく付設させてハウジング１に設置する。
【００２９】
また、コイルホルダー６が合体されたレンズホルダー３に対物レンズ２を接着により固定する。この場合、対物レンズ２はレンズホルダー３に形成される凹部により位置決めされて傾かずに正確な姿勢でレンズホルダー３に設置される。
【００３０】
このようにしてアクチュエータの組み立てが完了された後、各連結部５を折り欠いて除去してレンズホルダー３をハウジング１から切り離す。これによりアクチュエータ可動部をハウジング１に弾性的に支持される状態とし、アクチュエータ可動部はディスクの信号面に光ビームを合焦させるフォーカス制御及びディスクの信号トラックに光ビームを追従させるトラッキング制御が行えるように変位可能に支持される状態となる。
【００３１】
ところで、レンズホルダー３をハウジング１から切り離す状態において、各サスペンションワイヤー１１にはほとんで応力が印加されていない状態であるので、レンズホルダー３をハウジング１から切り離した際に、アクチュエータ可動部は自重により少許垂れ下がるが、その際に対物レンズ２の光軸がタンジェンシャル方向及びラジアル方向のスキュー調整を必要とするような変位を発生しない。
【００３２】
そして、レンズホルダー３はハウジング１に一体成形することによる寸法精度により切り離す前にハウジング１に対してタンジェンシャル方向及びラジアル方向のスキュー調整を必要としない正しい位置に配置されている。
【００３３】
したがって、レンズホルダー３を切り離した後のアクチュエータ可動部の組立完了状態において、アクチュエータの可動部はスキュー調整を必要としない精度でハウジング１に対して正しい位置に設置されることになる。
【００３４】
尚、各サスペンションワイヤー１１の架設後、柱状突起２１ａ，２１ｂは折り欠かれて除去され、これにより各サスペンションワイヤー１１の端部が柱状突起２１ａ，２１ｂの規制から解放されるので、光学ヘッドの使用状態において柱状突起２１ａ，２１ｂが各サスペンションワイヤー１１の変位に悪影響を与えることはない。
【００３５】
【発明の効果】
以上述べた如く、本発明に依れば、レンズホルダーをハウジングに一体成形することによる寸法精度の向上によりレンズホルダーをハウジングに対してスキュー調整を必要としない正しい位置に配置しておき、アクチュエータ可動部の組み立てが完了してレンズホルダーの位置が決定した後にレンズホルダーをハウジングから切り離すようにしているので、レンズホルダーに装着される対物レンズをハウジングに形成される光学経路に対してアクチュエータの位置調整をしなくても精度良く設置可能であり、アクチュエータの可動部をスキュー調整を必要としない精度でハウジングに対して正しい位置に設置するのに有利であると共に、特に、取付部をレンズホルダーに一体的に形成し、各サスペンションワイヤーは一端側の架設位置をレンズホルダーにコイルホルダーを合体させる際のコイルホルダーのレンズホルダーに対する位置ズレに無関係としているので、各サスペンションワイヤーの一端側の架設位置が前記コイルホルダーのレンズホルダーに対する設置位置に影響されずに高精度に設定可能な光学ヘッド装置が提供できる。
【００３６】
また、レンズホルダーと別体にコイルホルダーを設けているので、レンズホルダーをハウジングに一体的に形成する構成としながら、レンズホルダーに駆動コイルを装着するのに自動機を用いて駆動コイルを巻回する自動巻きを採用することが出来る。
【００３７】
また、本発明に依れば、各サスペンションワイヤーの一端側及び他端側が支持面のＶ字の２辺に当接した状態で位置決めされ、各サスペンションワイヤーの軸方向と直交する方向の位置決めが行われると共に、ハウジングに一体的に形成される柱状突起により各サスペンションワイヤーの軸方向の位置決めが行われるので、各サスペンションワイヤーを容易に精度良く各サスペンションワイヤーの軸方向及び軸方向と直交する方向に位置決めすることが出来、前記柱状突起はサスペンションワイヤーの架設後に折り欠かれてハウジングから除去されるので、前記柱状突起が光学ヘッド装置の使用時において各サスペンションワイヤーの変位に悪影響を与えない。
【図面の簡単な説明】
【図１】本発明の一実施例に係る光学ヘッド装置の主要部分の展開状態を示す展開斜視図である。
【図２】図１の光学ヘッド装置におけるアクチュエータ可動部の組立途中状態を示す斜視図である。
【図３】図１の光学ヘッド装置におけるアクチュエータ可動部の組立完了状態を示す斜視図である。
【符号の説明】
１          ハウジング
２          対物レンズ
３          レンズホルダー
３ａ，３ｂ          取付部
５          連結部
６          コイルホルダー
１１          サスペンションワイヤー（弾性支持部材）
１２          サポート部材
１９          取付部の支持面
２０          サポート部材の支持面
【図１】
0003983095.tif 000002
【図２】
0003983095.tif 000003
【図３】
0003983095.tif 000004